(57)【要約】【課題】抜き取った支柱を収納する支柱収納箱を設け、該箱に支柱検知センサーを配置し、全ての支柱の収納を支柱検知センサーが検知した時のみ、可動床の駆動を開始させ、可動床に支柱の一部が挿入されたままの駆動による可動床装置の破損を防止する装置を提供する。【解決手段】可動床装置の破損防止装置を次のように構成する。第１に、自動で昇降する可動床８を上昇位置にて固定支持する支柱１が、抜き取り、支柱収納箱２に収納される方式の可動床式プール７において、支柱の抜き忘れにより生じる可動床装置の破損防止装置である。第２に、支柱収納箱２は、使用支柱の全本数分の支柱挿入支持穴２２が穿設され、全ての支柱挿入支持穴２２に支柱検知センサー３を配置し、全ての支柱の挿入を検知した時に、駆動制御部に接続された受信部に運転許可命令を送信する送信部を設ける。第３に、運転許可命令を受信して初めて、可動床の駆動を開始する。【選択図】図１
2020070545.tif 000002
【特許請求の範囲】
【請求項１】
自動可動床駆動装置により昇降する可動床を上昇位置にて固定支持する支柱が、抜き取り、支柱収納箱に収納される方式の可動床式プールにおいて、支柱を抜き忘れることにより生じる可動床装置の破損防止装置であって、
前記支柱収納箱は、
支柱支持板に使用支柱の全本数分の支柱挿入支持穴が穿設され、
全ての支柱挿入支持穴の支柱支持板裏面に支柱検知センサーを配置し、
該全ての支柱検知センサーが支柱の挿入を検知した時に、自動可動床駆動装置の駆動制御部に接続された受信部に運転許可命令を送信する送信部を設け、
前記自動可動床駆動装置は、
該運転許可命令を受信して初めて、可動床の駆動を開始する
ことを特徴とする可動床装置の破損防止装置。
【請求項２】
上記支柱収納箱の支柱支持板が、間隔を設けた上水平板と下水平板の２枚の水平板よりなるとともに、該上水平板及び下水平板の同位置に同じ大きさの支柱挿入支持穴が穿設され、下水平板の支柱挿入支持穴の近傍の下水平板裏面に支柱検知センサーが配設されたことを特徴とする請求項１に記載の可動床装置の破損防止装置。
【請求項３】
上記送信部が無線送信部で、上記受信部が無線受信部である請求項１または２に記載の可動床装置の破損防止装置。
【請求項４】
上記駆動制御部が、上記受信部を有さない既設の駆動制御部であって、上記受信部が該駆動制御部と分電盤との間の電源スイッチのＯＮ／ΟＦＦの切り替え装置に接続されているものである請求項１または２または３に記載の可動床装置の破損防止装置。
【発明の詳細な説明】
【技術分野】
【０００１】
自動可動床駆動装置により可動床を昇降させることができる可動床式プールでは、可動床式プールの清掃などにおいて、該可動床を上昇位置にて支柱により固定支持する必要がある。この支柱は、抜き取り式で、抜き取り後に別の収納場所に保管する方式が一般に用いられている。この支柱を１本でも抜き忘れて駆動装置を作動させると、可動床、支柱、駆動装置等の可動床装置に破損が生じる。本発明は、上昇位置にある可動床支持のための支柱の抜き忘れから生じる可動床装置の破損防止装置である。
【背景技術】
【０００２】
従来より、可動床を有するプールにおいて、プールの点検や清掃の際や可動床を他の用途として使用する際には、可動床をプール床面より上昇させて保持する必要がある。その際の可動床を支持する支柱として、特許文献１に示されるような支柱が存在する。該支柱は、可動床（文献１の床版）に対して回動可能に連結され、可動床の下面側に吊り支持されてそこに常備されているものである。即ち、可動床が下降位置にあるときには可動床の下面側に支柱が略水平姿勢として吊り支持されており、可動床をプールサイドレベルまで上昇させる場合には、固定床（文献１の基底版）に支柱を立設して可動床を支持するものである。該装置は、装置の大型化と複雑化を招くばかりでなく、プール内に支柱の収納場所を確保する必要があった。尚、この発明では、支柱の立設作業は作業員が可動床の下方空間に入って行う必要があり、作業が大変なものであった。
【０００３】
そこで、特許文献２の項目０００４、及び０００５で従来技術として紹介される方式（支柱抜き取り式）のものが一般的に利用されてきた。特許文献２では、次のように紹介されている。項目０００４では「他の可動床支持装置としては、可動床に複数設定された支持個所に開口を形成し、該開口を塞ぐ着脱可能な蓋を設けると共に、開口の下部周壁に支柱のネジ部と螺合させるネジ部を形成したものもある。この装置では、アリーナレベルに可動床を上昇させた後で蓋を外し、開口を通して支柱をプール底に向かって上から挿入して旋回し、支柱のネジ部を上記開口の下部周壁のネジ部に螺合させて支柱の固定を行うようにしている。」とし、更に、項目０００５で「他方、後者の場合には支持個所毎に人力による支柱の挿入や回しが必要になり、時間と労力が掛かり、支柱不使用時には支柱保管場所が必要であると言った問題がある。」としていた。
【０００４】
支柱は設置されたまま点検や清掃や他の用途に使用されたりする。支柱を抜き取り式とした場合、プール使用時には支柱を外して、別設の収納場所や収納箱に収納した後、可動床の駆動を行うが、支柱が設置されたまま可動床を下降させると、支柱が曲がってしまうのみならず、可動床の枠が曲がったり、可動床を吊り下げているチェーンが切れてしまう等の可動床装置の破損が発生していた。このような状態になると、可動床装置をワンシーズン使用できなくなったり、多額の修理費がかかる等の問題が発生していた。そのため、可動床装置内を目視により確認したり、人手によって支柱の数を数えて確認したりしていた。しかし、人手による確認では見間違えや数え違い等が生じ、問題の解決には至っていなかった。
【先行技術文献】
【特許文献】
【０００５】
【特許文献１】特開２０００−１９２６８０号公開特許公報
【特許文献２】特開２００２−２７６１８０号公開特許公報
【発明の概要】
【発明が解決しようとする課題】
【０００６】
本発明は、抜き取った後の支柱を入れる支柱収納箱を設け、該収納箱に支柱の支柱検知センサーを配置し、全ての支柱が支柱収納箱に収納されていることを支柱検知センサーが検知した時にのみ、自動可動床駆動装置は、可動床の駆動を開始することとして、可動床に支柱の一部が挿入されたまま駆動することによる可動床装置の破損を防止することを目的としている。
【０００７】
第２の発明は、支柱が、間隔を設けた上水平板と下水平板の２枚の水平板の同位置で同じ大きさの支柱挿入支持穴に挿入されるので、支柱が真っ直ぐ垂直に挿入され、下水平板裏面に設置された検知センサーの破損を防止できる装置とする。
【０００８】
第３の発明は、送信部を無線送信部と、受信部を無線受信部とすることにより、遠距離間での送受信を可能とした可動床装置の破損防止装置を提供することを目的とする。受信部のある可動床駆動装置と、送信部のある支柱収納箱は通常異なる場所に存在することに対応するものである。
【０００９】
第４の発明は、駆動制御部が、受信部を有さない既設の駆動制御部であって、受信部が該駆動制御部と分電盤との間の電源スイッチのＯＮ／ΟＦＦの切り替え装置に接続されているものとすることにより、既設の装置での使用も可能な可動床装置の破損防止装置とする。
【課題を解決するための手段】
【００１０】
上記課題を解決するために、第１の発明は可動床装置の破損防止装置を次のように構成する。
第１に、自動可動床駆動装置により昇降する可動床を上昇位置にて固定支持する支柱が、抜き取り、支柱収納箱に収納される方式の可動床式プールにおいて、支柱を抜き忘れることにより生じる可動床装置の破損防止装置である。
第２に、支柱収納箱は、支柱支持板に使用支柱の全本数分の支柱挿入支持穴が穿設され、全ての支柱挿入支持穴の支柱支持板裏面に支柱検知センサーを配置し、該全ての支柱検知センサーが支柱の挿入を検知した時に、自動可動床駆動装置の駆動制御部に接続された受信部に運転許可命令を送信する送信部を設ける。
第３に、自動可動床駆動装置は、該運転許可命令を受信して初めて、可動床の駆動を開始する。
【００１１】
第２の発明は、第１の発明における支柱収納箱の支柱支持板が、間隔を設けた上水平板と下水平板の２枚の水平板よりなるとともに、該上水平板及び下水平板の同位置に同じ大きさの支柱挿入支持穴が穿設され、下水平板の支柱挿入支持穴の近傍の下水平板裏面に支柱検知センサーが配設されたことを付加した可動床装置の破損防止装置である。
【００１２】
第３の発明は、第１または第２の発明における送信部が無線送信部で、受信部が無線受信部である可動床装置の破損防止装置である。
【００１３】
第４の発明は、第１または第２または第３の発明における駆動制御部が、受信部を有さない既設の駆動制御部であって、受信部が該駆動制御部と分電盤との間の電源スイッチのＯＮ／ΟＦＦの切り替え装置に接続されているものである可動床装置の破損防止装置である。
【発明の効果】
【００１４】
第１の発明は、次の効果を有する。
可動床より抜き取った後の支柱を入れる支柱収納箱を設け、該収納箱に支柱の支柱検知センサーを配置し、全ての支柱が支柱収納箱に収納されていることを支柱検知センサーが検知した時に、自動可動床駆動装置の駆動制御部に接続された受信部に運転許可命令を送信する送信部を設け、自動可動床駆動装置は、該運転許可命令を受信して初めて、可動床の駆動を開始することとしたので、可動床に支柱の一部が挿入されたまま駆動することによる可動床装置の破損を防止する装置を提供することができた。
【００１５】
第２の発明は、支柱収納箱の支柱支持板が、間隔を設けた上水平板と下水平板の２枚の水平板よりなるとともに、該上水平板及び下水平板の同位置に同じ大きさの支柱挿入支持穴が穿設されたので、支柱を支柱挿入支持穴に挿入する際に、支柱が真っ直ぐに垂直に挿入され、下水平板裏面に配設された支柱検知センサーの損傷を防止できるものとなった。
【００１６】
第３の発明は、送信部を無線送信部と、受信部を無線受信部とすることにより、遠距離間での送受信を可能とした可動床装置の破損防止装置を提供することができた。
【００１７】
第４の発明は、駆動制御部が、受信部を有さない既設の駆動制御部であって、受信部が該駆動制御部と分電盤との間の電源スイッチのＯＮ／ΟＦＦの切り替え装置に接続されているものとすることにより、既設の装置での使用も可能な可動床装置の破損防止装置を提供することができた。
【図面の簡単な説明】
【００１８】
【図１】装置の全体構成の概要を示す説明図で、（Ａ）は抜き忘れなしの場合の説明図で、（Ｂ）は抜き忘れありの場合の説明図である。
【図２】支柱収納箱の支柱挿入途中を示す側面説明図
【図３】支柱収納箱の平面説明図
【図４】支柱収納箱の側面説明図
【図５】支柱収納箱の底面説明図
【図６】既設の可動床昇降装置の制御盤へ利用する場合の全体構成図
【図７】支柱取付穴の位置を示すプール平面図
【図８】可動床への支柱の取付状態を示す断面説明図
【発明を実施するための形態】
【００１９】
以下実施の形態について図面に従って説明する。
図７は、支柱１の取付位置を示すプール平面図である。本発明の可動床装置の破損防止装置が使用される可動床式プール７は、自動の可動床駆動装置９により昇降する可動床８を有するプールである。
【００２０】
自動の可動床駆動装置９は、可動床式プール７の側壁に電動で上下動するチェーンを設け、該チェーンに可動床８を連結し、チェーンにより可動床８を上下動可能としている。該可動床駆動装置９は、図１に示す制御盤４により制御される。実施例では、可動床駆動装置９が、図７に示すように６箇所設けられている。勿論、可動床駆動装置９はこのような構成のものに限定されるものではなく、他の方法でも自動化されたものであれば良い。
【００２１】
可動床式プール７においては、プールの点検や清掃等の際に、可動床８を上昇させて保持する必要がある。その際の可動床８を上昇位置で安全に支持するために支柱１が用いられている。該支柱１は、可動床８に設けられている支柱取付穴１０より挿入されて使用される。そのため、可動床８には上昇位置にて固定支持する支柱１が挿入される支柱取付穴１０が複数設けられている。実施例では２８本の支柱１が使用され、２８箇所に支柱取付穴１０が開口されている。
【００２２】
尚、可動床８に使用される支柱１の本数は、物件によって相違し、小学校用には２８本、テニス場として使用する場合には８０本〜１００本、その他４２本等の場合もある。従って、支柱取付穴１０の数は、可動床８に使用される支柱１の本数によって変化し、実施例の穴数に限定されるものではない。
【００２３】
図８に示すように、支柱取付穴１０には開口を塞ぐ着脱可能な蓋１１が設けられると共に、支柱取付穴１０の開口から固定床１２方向に垂直に伸びる支柱１固定用のパイプ状の支柱サポート１３が設けられる。支持サポート１３の内壁には支柱１固定用の雌ネジが形成されており、支柱取付穴１０の開口より支柱１を固定床１２に向かって挿入して、支柱１の雄ネジを支柱サポート１３に設けられる雌ネジと螺合させて支柱１の固定を行っている。
【００２４】
プールの点検や清掃等が終了し、可動床８を上昇させておく必要がなくなると、支柱１を支柱取付穴１０から抜き取り、プールとして使用する等の場合には、可動床８を下降させる必要がある。支柱１の抜き忘れがあり、支柱１が設置されたまま可動床８を下降させると、支柱１が曲がってしまうのみならず、可動床８の枠が曲がったり、可動床８を吊り下げているチェーンが切れてしまう等の可動床装置の破損の危険があった。この危険を防止するために、本発明にかかる可動床装置の破損防止装置は提案された。
【００２５】
可動床装置の破損防止装置は、可動床８を支える全ての支柱１が抜き取られ、収納されたことを検知することができる支柱収納箱２と、可動床駆動装置９の駆動制御部となる制御盤４と、上記検知結果を制御盤４に送信するための送信部及び上記検知結果を受信するための受信部と、によりなる。
【００２６】
支柱収納箱２には、図２及び図４に示されるように、底面より上方に上水平板２０と下水平板２１とが上下に間隔を開けて平行に設けられている。上水平板２０及び下水平板２１には、図３の平面図及び図５の底面図に表れるように、可動床８に使用される本数分の支柱１と同じ数の支柱挿入支持穴２２が、穿設されている。実施例では、上下水平板２０，２１のそれぞれに２８個の支柱挿入支持穴２２が穿設されている。尚、支柱収納箱２は、この形状に限定されるものではない。該支柱挿入支持穴２２は、上水平板２０と下水平板２１の同じ位置に、同じ大きさで穿設されている。このように上下に支柱挿入支持穴２２を設けるのは、支柱１を傾くことなく真っ直ぐに挿入させるためである。
【００２７】
図５に示されるように、下水平板２１裏面の全ての支柱挿入支持穴２２の近傍には、支柱検知センサー３となるリミットスイッチ２３が設置されている。実施例ではリミットスイッチ２３として、ローラーレバー形リミットスイッチが取り付けられている。リミットスイッチ２３は、図３に示されるように、ローラー部２４が支柱挿入支持穴２２の直下に位置するよう設置されている。リミットスイッチ２３は、実施例においては、２８個の支柱挿入支持穴２２の近傍に２８個取り付けられて直列に接続されている。２８個のリミットスイッチ２３全体で、全部の支柱１の挿入を検知する支柱検知センサー３となる。
【００２８】
支柱１が支柱挿入支持穴２２に挿入されると、支柱１の下端がリミットスイッチ２３のローラー部２４に当接し、押し下げ、ローラーレバー部分を回動させ、スイッチをＯＮとし、支柱１の挿入を検知する。
【００２９】
支柱１は、上水平板２０の支柱挿入支持穴２２より、同位置、同じ大きさの下水平板２１の支柱挿入支持穴２２へと真っ直ぐに挿入されるため、支柱１の挿入によるリミットスイッチ２３の損傷を防止することができる。更に、支柱１が挿入され、支柱１下端がローラー部２４に当接したときローラー部２４は回転し、支柱挿入による衝撃を回避することができ、リミットスイッチ２３の損傷を防止することができる。
【００３０】
支柱検知センサー３は、リミットスイッチ２３全体が直列に繋がれているため、全てのリミットスイッチ２３がＯＮとなって、全ての支柱１の挿入の完了を検知する。その時、運転許可命令が出される。運転許可命令は、無線送信器２５により送信される。無線送信器２５は、図５に示すように、下水平板２１の裏面に設置されている。尚、図５中符号２６は、支柱検知センサー３及び無線送信器２５の電源となる電池を入れる電池ケースである。無線送信器２５が本発明における送信部となる。
【００３１】
無線送信器２５より送信された運転許可命令の信号は、無線受信器４５により受信される。無線受信器４５が本発明における受信部となる。図１に示される無線受信器４５は、可動床駆動装置９の駆動制御部となる制御盤４内に設置されている。制御盤４は、可動床駆動装置９の運転及び各種の制御を行うが、無線送信器２５より送信される可動床８の運転許可命令を受信しない限り、可動床８の運転は開始しないようになっている。実施例では、無線による送受信であるが、有線であって良いこと勿論である。
【００３２】
以下、図１に従って、破損防止装置の動作について説明する。図１（Ａ）に示されるように、支柱収納箱２に全ての支柱１が挿入されて、全てのリミットスイッチ２３がＯＮとなると、支柱検知センサー３は、可動床８よりの支柱１の抜き忘れがないことを検知する。すると、支柱検知センサー３より、可動床８の運転許可命令の信号が出され、無線送信器２５より無線受信器４５に送信される。無線受信器４５が運転許可命令を受け、制御盤４による可動床８の運転駆動が可能となる。
【００３３】
他方、図１（Ｂ）に示されるように、支柱収納箱２に１本でも支柱１が挿入されていない場合、リミットスイッチ２３が直列に接続された支柱検知センサー３は、支柱１の抜き忘れがないことを検知することができない。この場合、支柱検知センサー３は、可動床８の運転許可命令を出せない。従って、無線送信器２５から、可動床８の運転許可命令の無線信号は無線受信器４５に送信されず、制御盤４による可動床８の運転駆動制御はできない。
【００３４】
既設の制御盤４により、可動床８の運転を行っている場合には、簡便な方法として、図６に示すように、制御盤４と分電盤６との間に電源スイッチのＯＮ／ＯＦＦの切り替え装置５を設け、該装置５に運転許可命令の信号を受け取る無線受信器４５を接続する方法が考えられる。
【００３５】
この場合にも、支柱１が全ての支柱挿入支持穴２２に挿入されている場合には、可動床８の運転許可命令が送信され、電源スイッチのＯＮ／ΟＦＦの切り替え装置５により電源がＯＮとなり、制御盤４を動作させることができ、制御盤４による可動床８の運転駆動制御が可能となる。他方、支柱１が１本でも支柱挿入支持穴２２に挿入されていない場合には、可動床８の運転許可命令も送信されず、電源スイッチのＯＮ／ΟＦＦの切り替え装置５により、電源はΟＦＦのままであり、制御盤４による可動床８の運転駆動制御はできない。
【符号の説明】
【００３６】
１・・・・・・・・支柱
２・・・・・・・・支柱収納箱
２０・・・・・・・上水平板
２１・・・・・・・下水平板
２２・・・・・・・支柱挿入支持穴
２３・・・・・・・リミットスイッチ
２４・・・・・・・ローラー部
２５・・・・・・・無線送信器
２６・・・・・・・電池ケース
３・・・・・・・・支柱検知センサー
４・・・・・・・・制御盤
４５・・・・・・・無線受信器
５・・・・・・・・電源スイッチのＯＮ／ΟＦＦの切り替え装置
６・・・・・・・・分電盤
７・・・・・・・・可動床式プール
８・・・・・・・・可動床
９・・・・・・・・可動床駆動装置
１０・・・・・・・支柱取付穴
１１・・・・・・・蓋
１２・・・・・・・固定床
１３・・・・・・・支柱サポート
【図１】
2020070545.tif 000003
【図２】
2020070545.tif 000004
【図３】
2020070545.tif 000005
【図４】
2020070545.tif 000006
【図５】
2020070545.tif 000007
【図６】
2020070545.tif 000008
【図７】
2020070545.tif 000009
【図８】
2020070545.tif 000010